(57)【要約】【課題】  引出し本体のロックを引出し本体の閉じる方向への押し込みによって外す引出しキャビネットにおいて、引出し本体を閉じる方向に押し込むことなく引き出してもロックが破壊することがないようにする。【解決手段】  引出し本体側のスライドレール１４の先端部１４Ｅ（金属磁性体６８Ｂ）とこのスライドレール１４と共に移動するロック用のスライド駒４０に係脱自在に結合される分離片６２に取り付けられた磁石６８Ｍとによってスライドレール１４とスライド駒４０とを分離片６２を介して結合しており、引出し本体をロックを外すことなく無理に開こうとすると、スライドレール１４が磁石６８Ｂから分離してロックを破壊することなく開くことができる。【選択図】図９
2008079665.tif 000002
【特許請求の範囲】
【請求項１】
筐体の内壁面に取付けられるべき第１のスライドレールと前記第１のスライドレールに摺動自在に係合し前記筐体に出し入れ自在に移動する引出し本体に取付けられるべき第２のスライドレールとの間に設けられるべきものであって、前記引出し本体が前記筐体内に引き込まれた時に前記第１と第２のスライドレールを相互にロックするロック手段を備え、前記ロック手段は、前記引出し本体を引き出す際に、前記引出し本体を引き込み方向に押し込んで前記第１と第２のスライドレールの間のロックを解放するようにした引出しスライダーにおいて、前記ロック手段のロック力よりも弱い結合力で前記第１のスライドレールと第２のスライドレールを結合し、前記引出し本体の閉じる方向への押込み動作を行うことなく前記引出し本体を開くと、前記第１のスライドレールと第２のスライドレールとを分離する可解放結合手段を更に備えていることを特徴とする引出しスライダー。
【請求項２】
請求項１に記載の引出しスライダーであって、前記ロック手段は、前記第１と第２のスライドレールのいずれか一方に取付けられ、前記可解放結合手段は、前記ロック手段と前記第１と第２のスライドレールの他方との間に設けられていることを特徴とする引出しスライダー。
【請求項３】
請求項２に記載の引出しスライダーであって、前記可解放結合手段は、前記ロック手段のフレームに摺動自在に保持され前記ロック手段に係脱自在に結合される分離片と前記他方のスライドレールの先端部との間に設けられていることを特徴とする引出しスライダー。
【請求項４】
請求項１に記載の引出しスライダーであって、前記ロック手段は、前記第１と第２のスライドレールとのいずれか一方に取り付けられたフレーム上を摺動自在に保持され他方のスライドレールの先端部に係脱自在に結合する案内溝付きスライド駒と前記フレームに揺動自在に支持され前記スライド駒の案内溝に係合するロックピンを幅方向に変位するロック部材とから成り、前記スライド駒と前記ロック部材とは、前記引出し本体の移動につれて前記ロック部材が前記スライド駒の案内溝内を相対的に移動し、前記スライド駒の案内溝は、前記引出し本体が閉じ込められた時に前記ロック部材のロックピンが係合して前記ロック部材をロックするロック面と前記引出し本体の引き込み時に前記ロックピンを前記ロック面に幅寄せするように誘導する後退側誘導面と前記引出し本体の引き出し時に前記引出し本体を一旦引き込み方向に押し込んで前記ロックピンを前記ロック面から外しつつ幅寄せするように前記開口に誘導する前進側誘導面とを有し、前記スライド駒は、前記引出し本体の引出し時に、前記他方のスライドレールの先端部から解放されるように構成され、前記案内溝付きスライド駒は、前記フレーム上を摺動自在に保持され、前記ロック部材は、前記フレームに横方向に変位自在に支持され、前記可解放結合手段は、前記フレームと前記他方のスライドレールの先端部との間に設けられていることを特徴とする引出しスライダー。
【請求項５】
請求項４に記載の引出しスライダーであって、前記スライド駒に係脱自在に結合される分離片が前記フレームに摺動自在に保持され、前記可解放結合手段は、前記分離片と前記他方のスライドレールの先端部との間に設けられていることを特徴とする引出しスライダー。
【請求項６】
請求項１乃至５のいずれかに記載の引出しスライダーであって、前記可解放結合手段は、相互に磁気的に結合する２つの磁気結合部材から成り、前記引出し本体の閉じる方向への押込み動作を行うことなく前記引出し本体を開くと、前記２つの磁気結合部材が磁気吸引力に抗して分離することを特徴とする引出しスライダー。
【請求項７】
請求項１乃至５のいずれかに記載の引出しスライダーであって、前記可解放結合手段は、相互に弾性的に噛み合う２つの雌雄の噛み合い部材から成り、前記引出し本体の閉じる方向への押込み動作を行うことなく前記引出し本体を開くと、前記２つの雌雄の噛み合い部材が噛み合いの弾性に抗して分離することを特徴とする引出しスライダー。
【請求項８】
請求項７に記載の引出しスライダーであって、前記雌雄の噛み合い部材のうち、雄側噛み合い部材が水平突片であり、雌側噛み合い部材が前記水平突片を抱き込む抱込み片であることを特徴とする引出しスライダー。
【請求項９】
請求項７に記載の引出しスライダーであって、前記雌雄の噛み合い部材のうち、雄側噛み合い部材は、１対の係止ピンであり、雌側噛み合い部材は、前記１対の係止ピンが弾性的に係入する係入溝を有する係止片であることを特徴とする引出しスライダー。
【発明の詳細な説明】
【技術分野】
【０００１】
本発明は、筐体内にスライドレールを介して摺動自在に支持されて開閉する引出しを閉じた状態でロックするが、引出しの開放時に引出しを閉じ方向に押し込んでロックを解放するようにした引出しスライダーの改良に関するものである。
【背景技術】
【０００２】
この種の引出しスライダーは、筐体とこの筐体内に出し入れ自在に収納される引出し本体との間に取付けられ、引出し本体を筐体内に引き入れたり、引出し本体を筐体から引き出したりするのを円滑に行うことができるようにし、また引出し本体を筐体内に引き入れた状態で引出し本体を筐体にロックする機能を有する。
【０００３】
この種の引出しスライダーは、筐体の内壁面に取付けられるべき第１のスライドレールと、この第１のスライドレールに摺動自在に係合し筐体に出し入れ自在に移動する引出し本体に取付けられるべき第２のスライドレールと、引出し本体が筐体内に引き込まれたときに第１と第２のスライドレールを相互にロックするロック手段とを備えている。
【０００４】
このロック手段は、第１のスライドレールの先端部に係脱自在に結合して引出し本体の引き込み時に引出し本体と共に移動する案内溝付きスライド駒と、第２のスライドレールに取付けられスライド駒の案内溝に係合するロックピンを幅方向に変位するレバーの形態のロック部材とから成り、案内溝は、引出し本体が閉じ込められた時にロック部材のロックピンが係合してロック部材をロックするロック面と引出し本体の引き込み時にロックピンをロック面に向けて幅寄せするように誘導する後退側誘導面と引出し本体の引き出し時に引出し本体を一旦引き込み方向に押し込んでロックピンをロック部材のロック面から外しつつ幅寄せして開口に誘導する前進側誘導面とを有し、スライド駒は、引出し本体の引出し時に、第１のスライドレールの先端部から解放されるようになっている（特許文献１参照）。
【０００５】
この引出しスライダーを用いた引出しキャビネットは、引出し本体を筐体内に引き込むと、第１のスライドレールがスライド駒に結合してこのスライド駒を押し込んでその案内溝内にロック部材のロックピンが相対的に係入し、引出し本体の引き込みを解放すると、引出し本体はばねによって開く方向に若干移動するため、ロック部材のロックピンは、案内溝のロック面に係合して引出し本体を筐体内にロックする。
【０００６】
次に、引出し本体を引き出す際には、引出し本体をばねに抗して一旦引き込む方向に押し込むが、このようにすると、スライド駒は、その案内溝の前進側誘導面に係合ピンが係合するので、レバー状のロック部材は、そのロックピンがスライド駒の案内溝のロック面から外れるように横方向に変位し（揺動し）、従って、ロック部材のロックピンは、スライド駒の案内溝の開口に誘導されるため、このスライド駒と共に引出し本体が引き出され、所定位置を越えて引き出されると、第１のスライドレールとスライド駒との結合が解除されて引出し本体が第１のスライドレールと共に引き出される。
【０００７】
このように、引出しスライダーは、引出し本体を引き込み位置でロックするので、引出し本体が不本意に開くことがなく、また引出し本体を開きたいときには、引出し本体をばねに抗して一旦引き込み方向に押し込むことによってロックを容易に解放することができる。
【０００８】
しかし、使用者が引出しキャビネットを開く際に、引出し本体を一旦引き込み方向に押し込むことをしないで、引出し本体を引出し方向に強引に引くと、スライド駒とロック部材のロックピンとのロック状態を維持したまま、引出し本体を開こうとするので、スライド駒とロックピンとの間に大きな力が加わってロック手段を破壊することがあり、ロック手段が破壊すると、以後、引出しをロックすることができなくなる欠点があった。
【０００９】
【特許文献１】実用新案登録第３１１８２７７号公報
【発明の開示】
【発明が解決しようとする課題】
【００１０】
本発明が解決しようとする課題は、引出し本体を引き込み方向に押し込むことなく、強引に開くことがあっても、ロック手段を破壊することなく、引出し本体を引き出すことができる引出しスライダーを提供することにある。
【課題を解決するための手段】
【００１１】
本発明の課題解決手段は、筐体の内壁面に取付けられるべき第１のスライドレールとこの第１のスライドレールに摺動自在に係合し筐体に出し入れ自在に移動する引出し本体に取付けられるべき第２のスライドレールとの間に設けられるべきものであって、引出し本体が筐体内に引き込まれた時に第１と第２のスライドレールを相互にロックするロック手段を備え、このロック手段は、引出し本体を引き出す際に、引出し本体を引き込み方向に押し込んで第１と第２のスライドレールの間のロックを解放するようにした引出しスライダーにおいて、ロック手段のロック力よりも弱い結合力で第１と第２のスライドレールを結合し、引出し本体の閉じる方向への押込み動作を行うことなく引出し本体を開くと、第１のスライドレールと第２のスライドレールとを分離する可解放結合手段を更に備えていることを特徴とする引出しスライダーを提供することにある。
【００１２】
本発明の課題解決手段において、ロック手段は、第１と第２のスライドレールいずれか一方に取付けられ、可解放結合手段は、ロック手段と第１と第２のスライドレールの他方との間に設けられている形態とすることができ、特にロック手段のフレームに摺動自在に保持されロック手段に係脱自在に結合される分離片と上記他方のスライドレールの先端部との間に設けられているのが好ましい。
【００１３】
本発明の具体的な形態において、ロック手段は、第１と第２のスライドレールとのいずれか一方に取り付けられたフレーム上を摺動自在に保持され他方のスライドレールの先端部に係脱自在に結合する案内溝付きスライド駒とこのフレームに揺動自在に支持されスライド駒の案内溝に係合するロックピンを幅方向に変位するロック部材とから成り、スライド駒とロック部材とは、引出し本体の移動につれてロック部材がスライド駒の案内溝内を相対的に移動するようにし、スライド駒の案内溝は、引出し本体が閉じ込められた時にロック部材のロックピンが係合してロック部材をロックするロック面と引出し本体の引き込み時にロックピンをロック面に幅寄せするように誘導する後退側誘導面と引出し本体の引き出し時に引出し本体を一旦引き込み方向に押し込んでロックピンを前記ロック面から外しつつ幅寄せするように開口に誘導する前進側誘導面とを有し、スライド駒は、引出し本体の引出し時に、他方のスライドレールの先端部から解放されるように構成され、案内溝付きスライド駒は、フレーム上を摺動自在に保持され、ロック部材は、フレームに横方向に変位自在に支持され、可解放結合手段は、フレームと他方のスライドレールの先端部との間に設けられているものとすることができる。
【００１４】
この場合、スライド駒に係脱自在に結合される分離片がロック手段のフレームに摺動自在に保持され、可解放結合手段は、この分離片と他方のスライドレールの先端部との間に設けられてもよい。
【００１５】
本発明の課題解決手段において、可解放結合手段は、相互に磁気的に結合する２つの磁気結合部材から成り、引出し本体の引き込み方向への押込み動作を行うことなく引出し本体を開くと、これらの２つの磁気結合部材が磁気吸引力に抗して分離するようにすることができる。この場合、２つの磁気結合部材は、磁石と金属磁性体でもよいし、共に磁石であってもよい。
【００１６】
また、上記に代えて、可解放結合手段は、相互に弾性的に噛み合う２つの噛み合い部材から成り、引出し本体の引き込み方向への押込み動作を行うことなく引出し本体を開くと、これらの２つの噛み合い部材が噛み合いの弾性に抗して分離するようにしてもよい。
【００１７】
可解放結合手段の雌雄の噛み合い部材のうち、雄側噛み合い部材は、水平突片であり、雌側噛み合い部材は、この水平突片を抱き込む抱込み片であってもよいし、雄側噛み合い部材は、１対の係止ピンであり、雌側噛み合い部材は、この１対の係止ピンが弾性的に係入する係入溝を有する係止片であってもよい。
【発明の効果】
【００１８】
本発明によれば、上記のように、ロック手段のロック力よりも第１と第２のスライドレールとを結合し、引出し本体の引き込み方向への押込み動作を行うことなく引出し本体を開くと、第１と第２のスライドレールを分離する可解放結合手段を含んでいるので、使用者が引出し本体を一旦引き込み方向に押し込むことをしないで、引出し本体を引出し方向に強引に引くことがあっても、この可解放結合手段で第１と第２のスライドレールが自動的に分離し、従って、ロック手段がロック状態を維持したままであっても、ロック手段に大きな力が加わることがないから、ロック手段を破壊することがなく、また以後も引き続き、引出し本体をロックすることができる利点がある。
【発明を実施するための最良の形態】
【００１９】
本発明の好ましい実施の形態による引出しスライダーＳを以下に図面を参照して述べると、図１乃至図４は、本発明の引出しスライダーＳを用いた引出しキャビネット１を示し、この引出しキャビネット１は、図示の例では、前面が開口する筐体２とこの筐体２内に出し入れ自在に収納される引出し本体３とから成っており、引出しスライダーＳは、図１乃至図４と図５乃至図９に示すように、筐体２の両側内壁面に取付けられるべき第１のスライドレール１２と、この第１のスライドレール１２に摺動自在に係合し引出し本体３の両側側面に取付けられるべき第２のスライドレール１４と、引出し本体３が筐体２内に引き込まれた時に第１と第２のスライドレール１２、１４を相互にロックするロック手段２０とを備えている。
【００２０】
図示の例では、第１のスライドレール１２が外側スライドレールであり、第２のスライドレール１４が内側スライドレールであるが、第１のスライドレール１２が内側で第２のスライドレール１４が外側であってもよい。また、図示の例では、第１と第２のスライドレール１２、１４の間に中間スライドレール１６が設けられているが、この中間スライドレール１６は省略してもよい。なお、図５乃至図９において符号１２Ｈ、１４Ｈは、第１及び第２のスライドレール１２、１４を筐体２、引出し本体３にそれぞれ取付けるのに用いられる取付けボルト用の孔である。
【００２１】
以下、一方側の引出しスライダーＳを詳細に述べるが、他方側の引出しスライダーＳも一方側と同様であるが、対称的に構成されている。
【００２２】
ロック手段２０は、第１のスライドレール１２の奥端に固定して取付けられる金属製または硬質プラスティック製のフレーム３０と、このフレーム３０上に摺動自在に保持され、後に述べるように、第２のスライドレール１４の先端部に係脱自在に結合して引出し本体３の引き込み時に引出し本体３と共に奥に向けて移動する案内溝付きスライド駒４０と、フレーム３０の奥端に揺動ピン５２によって揺動自在に支持されスライド駒４０の案内溝４６に係合するロックピン５４を有するレバー状のロック部材５０とから成っている。なお、図示の例では、ロック部材５０は、ロックピン５４をロック部材５０の揺動によって横方向に変位するようにしたが、ロックピン５４をフレーム３０の幅方向に変位することができれば、レバー状ではなくてもよい。
【００２３】
図１４乃至図１７に示すように、フレーム３０は、フレーム本体３２の一端に横片３４が一体に設けられた略Ｔ字形の形態を有し、横片３４は、第１のスライドレール１２の奥端開口部に嵌め込まれ(図５乃至図９参照)、またフレーム本体３２は、その底係止孔３２Ｈを有し、この底係止孔３２Ｈには第１のスライドレール１２の底部の切り起しの爪片１２Ｐが弾性的に係止され（図１０乃至図１３参照）、これによってフレーム３０が第１のスライドレール１２に固定されている。
【００２４】
案内溝付きスライド駒４０は、図１８に示すように、両側面の前後に２対の保持ピン４２Ｆ、４２Ｒを有し、これらの保持ピン４２Ｆ、４２Ｒをフレーム３０のフレーム本体３２の両側壁に設けられた保持溝３２Ｇにフレーム本体３２の長手方向に摺動自在に嵌めてフレーム３０に保持されている。保持溝３２Ｇは、横片３４側では符号３２ＧＨで示すように水平に延びているが、フレーム本体３２の中間部分では符号３２ＧＩで示すように下向きに傾斜している。
【００２５】
従って、スライド駒４０は、第１のスライドレール１２の奥端に向かう方向（引出し本体３を引き込む方向）に移動して前後の両方の保持ピン４２Ｆ、４２Ｒが保持溝３２Ｇの水平部分３２ＧＨにあると、水平状態を維持するが（図１０及び図１１参照）、この奥端とは反対方向（引出し本体３を引き出す方向）に移動して前側の保持ピン４２Ｆが保持溝３２Ｇの傾斜部分３２ＧＩに入ると、前側が下向きに傾いて傾斜状態を維持する（図１２及び図１３参照）。
【００２６】
スライド駒４０は、その上面に突出する前後の係合片４４Ｆ、４４Ｒを有し、これらの係合片４４Ｆ、４４Ｒは、第２のスライドレール１４に連結されるべき後述する分離片を挟み込んで第２のスライドレール１４と共にスライド駒４０を進退する機能を有する。
【００２７】
スライド駒４０の案内溝４６は、図１９に示すように、後端に幅広の開口４６Ｏを有し、更に、引出し本体３が引き込められた時にロック部材５０のロックピン５４に係合してロック部材５０をロックするようにこの開口４６Ｏに連続するロック面４６Ｌと、引出し本体３を引き込む時にロック部材５０のロックピン５４をロック面４６Ｌに導くように幅寄せしながら後退する引き込み後退側誘導面４６Ｒと、引出し本体３を開く時にロック部材５０のロックピン５４をロック面４６Ｌから外れるように幅寄せしながら後退し、次いで前進して開口４６Ｏに誘導する引出し前進側誘導面４６Ｆとを有する。図１９において、後退側誘導面４６Ｒは、ロックピン５４が接触する順番に「ａ、ｂ、ｃ、ｄ」の符号を付記し、また、前進側誘導面４６Ｆは、ロックピン５４が接触する順番に「ａ、ｂ、ｃ」の符号を付記している。なお、誘導面４６Ｒｄ、４６Ｆｂは、引出し本体３が閉じた状態に維持される位置よりも若干閉じ込み方向に第２のスライドレール１４、即ちロックピン５４が変位することができるように長めに延長して形成されている。
【００２８】
図１０乃至図１３から解かるように、ばね４８は、スライド駒４０とフレーム３０との間に設けられていてスライド駒４０を通常では引出し本体３の引出し方向（開く方向）に付勢している。このばね４８の一端の鉤部４８Ｋは、スライド駒４０の前端ばね掛けピン４０Ｐに掛け止めされ、他端の肩部４８Ｓは、フレーム３０の前端より内側に設けられた切欠き孔３０Ｎに係入して掛け止めされている。
【００２９】
引出しキャビネット１を閉じるため、引出し本体３を引き込んで第２のスライドレール１４を第１のスライドレール１２内に収納されるように滑り込ませ、この第２のスライドレール１２の前端部を介してスライド駒４０を第１のスライドレール１２の奥端側に移動すると、ロック部材５０のロックピン５４は、スライド駒４０の案内溝４６の開口４６Ｏから後退側誘導面４６Ｒａ、４６Ｒｂ、４６Ｒｃを経てロックアーム５０の揺動によって幅寄せされながら後退側誘導面４６Ｒｄの延長部分に係入するが、引出し本体３から手を離すと、ばね４８によってスライド駒４０が引出し本体３を開く方向に戻されるため、ロック部材５０のロックピン５４がスライド駒４０の案内溝４６のロック面４６Ｌに係合してスライド駒４０、即ち第２のスライドレール１４が引出し本体３が開く方向に戻されるのをロックする（図５、図１０及び図１４参照）。
【００３０】
次に、引出しキャビネット１を開くため、引出し本体３をばね４８に抗して一旦引き込む（閉じ込む）方向に押し込んで第２のスライドレール１４を介してスライド駒４０を第１のスライドレール１２の奥端側に変位すると、ロック部材５０のロックピン５４は、スライド駒４０の案内溝４６のロック面４６Ｌから前進側誘導面４６Ｆａによって幅寄せされながら前進側誘導面４６Ｆｂの延長部分に入り込むので、その後、引出し本体３を引き出すと、第２のスライドレール１４を介してスライド駒４０を引出し方向に移動し、このため、ロック部材５０のロックピン５４は、案内溝４６の前進側誘導面４６Ｆｃによって更に幅寄されながら案内溝４６の開口４６Ｏから脱出する。このようにして、スライド駒４０がフレーム３０の保持溝３２Ｇに沿って前進すると、スライド駒４０の前方の保持ピン４２Ｆが保持溝３２Ｇの前部傾斜面３２ＧＩに沿って前方が下向きに傾斜するので、後に述べる結合手段を介して第２のスライドレール１４が解放され、第２のスライドレール１４が第１のスライドレール１２に沿って前進し、引出し本体３を引き出して開くことができる。
【００３１】
本発明の引出しスライダーＳは、ロック手段２０のロック力よりも弱い結合力で第１のスライドレール１２と第２のスライドレール１４とを結合し、引出し本体３の閉じる方向（引き込む方向）への押込み動作を行うことなく引出し本体３を開くと、第１のスライドレール１２と第２のスライドレール１４とを強制的に分離する可解放結合手段６０を備えている。図示の形態では、ロック手段２０は、第１のスライドレール１２に取り付けられ、可解放結合手段６０は、この第１のスライドレール１２上のロック手段２０と第２のスライドレール１４との間に設けられているが、ロック手段２０が第２のスライドレール１４上に取り付けられ、可解放結合手段６０は、この第２のスライドレール１４上のロック手段２０と第１のスライドレール１２との間に設けられていてもよい。
【００３２】
図示の形態では、この可解放結合手段６０は、スライド駒４０に係脱自在に結合されるようにフレーム３０に摺動自在に保持された分離片６２と第２のスライドレール１４の先端部１４Ｅとの間に設けられている。
【００３３】
１つの形態では、この可解放結合手段６０は、分離片６２と第２のスライドレール１４の先端部１４Ｅとにそれぞれ取付けられ相互に磁気的に結合する２つの磁気結合部材６６、６８から成り、引出し本体３の閉じ込み方向への押込み動作を行うことなく引出し本体３を開くと、これらの２つの磁気結合部材６６、６８が磁気吸引力に抗して分離するようになっている。
【００３４】
分離片６２は、図１４、図１８及び図２０に示すように、フレーム３０の両側の摺動溝３０Ｓに係合する保持レール６２Ｌを有する逆Ｕ字形の形態を有していてフレーム３０に摺動自在に保持されており、これらの保持レール６２Ｌは、分離片６２がスライド駒４０と共に引出し本体３の引き込み方向に後退することができるように、スライド駒４０の保持溝３２Ｇの水平部分３２ＧＨにも入り込むことができるようになっている。なお、摺動溝３０Ｓは、図１８に示すように、その最前端が符号３０ＳＷで示す先端止め壁によって閉じており、従って分離片６２は、その保持レール６２Ｌが閉じ壁３０ＳＷに係合すると、それより前方には前進することができないようになっている。
【００３５】
また、分離片６２は、前進位置にあって前方が下向きに傾斜しているスライド駒４０の前後の係合片４４Ｆ、４４Ｒの間に抱き込まれるように形成された抱き込み部６４を有し、この抱き込み部６４は、分離片６２の後方部分にスライド駒４０の前部係合片４４Ｆが係入する孔６２Ｈを設けることによって形成することができる。
【００３６】
図示の形態では、２つの磁気結合部材６６、６８は、それぞれ磁石６６Ｍと金属磁性体６８Ｂとから成り、磁石６６Ｍは、分離片６２の前端上面に固定され、金属磁性体６８Ｂは、第２のスライドレール１４自体から成っている。
【００３７】
次に、本発明の上記実施の形態による引出しスライダーＳの使用状態を述べると、下記の通りである。
（Ａ）引出しキャビネット１の引出し本体３２０引き込んで閉じた状態＝保受状態（図１、図５、図１０及び図１４参照）
この状態では、第２のスライドレール１４が第１のスライドレール１２に収納された収縮状態にあり、第２のスライドレール１４の前端１４Ｅ（金属磁性体６８Ｂとなる部分）がフレーム３０上にある分離片６４に磁気的に結合しており、またスライド駒４０は、ロック部材５０のロックピン５４が図１９（Ｃ）の［ａ］に示すように案内溝４６のロック面４６Ｌに係止される後退ロック位置にある。
【００３８】
（Ｂ）引出し本体３を引き出そうとする始動状態＝押し込み状態（図２、図６、図１１及び図１５参照）
この状態は、引出し本体３を引き出す（開く）ために、ロック手段２０を解放しようとするトリガー状態である。引出し本体３を開く方向とは反対方向に押し込むと、スライド駒４０の後退運動によってロック部材５０の揺動によってそのロックピン５４を後退側誘導面４６Ｆａに倣って図１９（Ｃ）の位置「ｂ」に幅寄せしながらスライド駒４０がばね４８に抗して後退するので、ロック部材５０がスライド駒４０に対してロックされている状態から解放される。
【００３９】
（Ｃ）引出し本体３の引出し初期の状態（図３、図７、図１２及び図１６参照）
上記のようにロックが解放された状態で引出し本体３を引き出すと、スライド駒４０がロック部材５０から離れるように前進し、それに伴ってロック部材５０のロックピン５４を前進側誘導面４６Ｆｂ、４６Ｆｃを経て案内溝４６の開口４６Ｏに誘導しながらロック部材５０から離れようとする。
【００４０】
（Ｄ）引出し本体３の引出し完了の状態（図４、図８、図１３及び図１７参照）
このようにして、引出し本体３を引き出す（開く）と、第２のスライドレール１４が分離片６２、スライド駒４０と共に前進し、まず、スライド駒４０の前部保持ピン４２Ｆがフレーム３０の保持溝３２Ｇの下向き傾斜部分３２ＧＩに入り込んでスライド駒４０の前部係合片４４Ｆが下降すると、分離片６２がこの係合片４４Ｆから外れるため、スライド駒４０を残して、分離片６２が第２のスライドレール１４共に前進する。このようにして、分離片６２がフレーム３０の最前進位置に達すると、分離片６２の保持レール６２Ｌがフレーム３０の保持溝３０Ｓの先端止め壁３０ＳＷに係止し、それ以上前進することができないため、第２のスライドレール１４の先端部１４Ｅである金属磁性体６８Ｂが分離片６２上の磁石６６Ｍから磁気吸引力に抗して分離するため、分離片６２をフレーム３０に残して第２のスライドレール１４が前進して引出し本体３を引き出す。
【００４１】
（Ｄ）引出し本体３を引き込み方向に押し込むことなく引き出し本体３を強引に引出した状態（図９参照）
図５、図１０に示すように、引出し本体３が閉じた状態では、第２のスライドレール１４に磁気的に結合している分離片６２がスライド駒４０と共に後退位置にあってスライド駒４０の案内溝４６のロック面４６Ｌにロック部材５０上のロックピン５４が係合しているため、分離片６２がこの後退位置でロックされていて分離片６２は前進することができない。従って、引出し本体３を閉じる方向に押し込むことなく、手前に引き出そうとしても、第２のスライドレール１４は前進することができないが、引出し本体３を無理に引き出そうとすると、可解放結合手段６０の分離片６２側の磁石６６Ｍと第２のスライドレール１４の先端部１４Ｅである金属磁性体６８Ｂとの結合が磁気的吸引力に抗して解放されるため、第２のスライドレール１４は、分離片６２をスライド駒４０と共に、ロック後退位置に残したまま前進し、引出し本体３を引き出すことができる。従って、第２のスライドレール１４がロック手段２０に直接連結されている場合に生ずるロック手段２０の破壊を防止することができる。
【００４２】
（Ｅ）引出し本体３を正常に引出した状態（引出し本体３を開いた状態）から引出し本体３を筐体２内に引き込んだ状態（図１、図５、図１０及び図１４参照）
引出し本体３を筐体２内に引き込むと、第２のスライドレール１４が第１のスライドレール１２内に収納されるように後退し、まず、第２のスライドレール１４の先端部１４Ｅである金属磁性体６８Ｂがフレーム３０の最先端に位置している分離片６２の磁石６６Ｍに磁気的に結合し、第２のスライドレール１４の更なる後退によって分離片６２が後退する。第２のスライドレール１４の後退に伴って分離片６２がスライド駒４０の後部係合片４４Ｒに係合すると、その後は、分離片６２は、スライド駒４０を伴って後退し、その案内溝４６内にロック部材５０のロックピン５４を入り込ませ、ロックピン５４を幅寄せしながらばね４８に抗して案内溝４６内を後退させ、ロックピン５４が案内溝４６内のロック面４６Ｌに対応する位置まで後退させた後、引出し本体３の引き込みを止めると、ばね４８によってスライド駒４０が前進方向に戻されてロックピン５４を案内溝４６のロック面４６Ｌに係合するため、スライド駒４０、分離片６２を介して第２のスライドレール１４、即ち、引出し本体３が閉じ位置にロックされる。
【００４３】
（Ｆ）引出し本体３を強引に引出した状態から引出し本体３を筐体２内に引き込んだ状態（図１、図５、図１０及び図１４参照）
引出し本体３を強引に引き出した場合には、図９に示すように、可解放結合手段６０の分離片６２は、スライド駒４０に係合したままフレーム３０上の後退位置にあってロック部材５０のロックピン５４とスライド駒４０の案内溝４６のロック面４６Ｌとの係合によって分離片６２はロック後退位置にある。この状態から、引出し本体３を筐体２内に引き込むと、第２のスライドレール１４の先端部１４Ｅである金属磁性体６８Ｂが図９のロック後退位置にある分離片６２の磁石６６Ｍに磁気的に結合し、第２のスライドレール１４、即ち、引出し本体３が閉じ位置にロックされる。これは、最初に述べた（Ａ）の状態である。
【００４４】
本発明の他の実施の形態が図２１乃至図２５に示されており、この実施の形態では、可解放結合手段１６０は、分離片６２と第２のスライドレール１４の先端部１４Ｅとにそれぞれ取付けられ相互に弾性的に噛み合う２つの雌雄の噛み合い部材１６６、１６８から成っており、これらの噛み合い部材１６６，１６８は、引出し本体３の閉じる方向への押込み動作を行うことなく引出し本体３を開くと、これらの２つの噛み合い部材１６６、１６８が噛み合いの弾性に抗して分離するようになっている。
【００４５】
図示の例では、これらの２つの雌雄の噛み合い部材１６６、１６８のうち、雄側噛み合い部材１６８は、水平突片１６８Ｍであり、雌側噛み合い部材１６６は、この水平突片１６８Ｍを弾性的に抱き込む抱き込み片１６６Ｆから成っている。第２のスライドレール１４が金属製であり、分離片５０がプラスティック製である場合には、水平突片１６８Ｍは、第２のスライドレール１４の先端部１４Ｅに一体的に形成され、また抱き込み片１６６Ｆは、分離片５０に一体的に形成されるのが好ましい。
【００４６】
この実施の形態では、引出し本体３を一旦引き込む（閉じ込む）方向に押し込んで引き出す正常な操作を行う場合には、スライド駒４０のロックを解放し、分離片６２が最前位置に達した時に、第２のスライドレール１４側の水平突片１６８Ｍが分離片５０側の抱き込み片１６６Ｆから弾性的に抜け出して分離片６２から解放される（図２１乃至図２４参照）。
【００４７】
また、引出し本体３を一旦閉じ込む方向に押し込むことなく、無理に引き出すと、スライド駒４０と分離片６２とをロック後退位置に残したまま、第２のスライドレール１４側の水平突片１６８Ｍが分離片５０側の抱き込み片１６６Ｆから弾性的に抜け出して分離片６２から解放される。従って、ロックが解放されなくても、ロック手段２０を破壊することなく、第２のスライドレール１４、即ち引出し本体３を開くことができる（図２５参照）。
【００４８】
本発明の更に他の実施の形態が図２６乃至図３０に示されており、この実施の形態も、可解放結合手段２６０は、２つの雌雄の噛み合い部材２６６、２６８から成っているが、これらの２つの雌雄の噛み合い部材２６６、２６８のうち、雄側噛み合い部材２６８は、１対の係止ピン２６８ＭＲ、２６８ＭＬであり、雌側噛み合い部材２６６は、これらの１対の係止ピン２６８ＭＲ、２６８ＭＬが弾性的に係入する係入溝２６６Ｈを有する１対の係止片２６６ＦＲ、２６６ＦＬである。
【００４９】
図示の例では、１対の係止片２６６ＦＲ、２６６ＦＬは、第２のスライドレール１４の先端部１４Ｅから延びるように一体的に形成され、１対の係止ピン２６８ＭＲ、２６８ＭＬは、分離片５０の両側壁から横方向に延びるように一体的に形成されている。
【００５０】
この実施の形態では、引出し本体３を一旦引き込む方向に押し込んで引き出す正常な操作を行う場合には、スライド駒４０のロックを解放し、分離片６２が最前位置に達した時に、第２のスライドレール１４側の１対の係止片２６６ＦＲ、２６６ＦＬが分離片５０側の１対の係止ピン２６８ＭＲ、２６８ＭＬから弾性的に抜け出して分離片６２から解放される（図２６乃至図２９参照）。なお、この場合、係止ピン２６８ＭＲ、２６８ＭＬが弾性的に撓むが、係止片２６６ＦＲ、２６６ＦＬが弾性的に撓むようにしてもよい。
【００５１】
また、引出し本体３を一旦引き込む方向に押し込むことなく、無理に引き出すと、スライド駒４０と分離片６２とをロック後退位置に残したまま、第２のスライドレール１４側の係止片２６６ＦＲ、２６６ＦＬが分離片５０側の１対の係止ピン２６８ＭＲ、２６８ＭＬから弾性的に抜け出して分離片６２から解放される。従って、ロックが解放されなくても、ロック手段２０を破壊することなく、第２のスライドレール１４、即ち引出し本体３を開くことができる（図３０参照）。
【００５２】
なお、上記の実施の形態では、分離片６２をロック手段２０側に取り付けてこの分離片６２とスライドレール１４又は１２との間で強制的に分離することができるように結合したが、分離片６２を用いることなく、スライドレール１４又は１２とロック手段との間を強制的に分離することができるように結合してもよい。更に、ロック手段２０は、図示の形態に限定されることはなく、引出し本体３を閉じる方向に押してロックを解放する形態のものであれば、他のロック手段であってもよい。
【産業上の利用可能性】
【００５３】
本発明によれば、引出し本体を一旦引き込む方向に押し込んでロックを外すロック手段を備えている引出しスライダーにおいて、この引出し本体を閉じる方向に押し込むことなく、引出し本体を強引に引き出そうとすると、第１と第２のスライドレバーが自動的に解放されるように結合しているので、ロック手段を破壊することがなく、従ってこのような無理な引出操作を行っても引出しキャビネットの以後のロックを有効に行うことができ、高い産業上の利用性を有する。
【図面の簡単な説明】
【００５４】
【図１】本発明の引出しスライダーが用いられた引出しキャビネットの閉じた状態（保受状態）の斜視図である。
【図２】図１の引出しキャビネットの引出し本体を引き出すために引出し本体を押し込んだ状態の斜視図である。
【図３】図２の状態から引出し本体を引出し始めた状態（引出し初期状態）の斜視図である。
【図４】図３の状態から引出し本体を更に引き出して引出しを完了した状態の斜視図である。
【図５】図１の状態にある引出しスライダー付きスライドレールの斜視図である。
【図６】図２の状態にある引出しスライダー付きスライドレールの斜視図である。
【図７】図３の状態にある引出しスライダー付きスライドレールの斜視図である。
【図８】図４の状態にある引出しスライダー付きスライドレールの斜視図である。
【図９】引出し本体を一旦押し込むことなく引出し本体を強引に引出して引出し本体を開いた状態にある引出しスライダー付きスライドレールの斜視図である。
【図１０】図１の状態にある引出しスライダーの斜視図である。
【図１１】図２の状態にある引出しスライダーの斜視図である。
【図１２】図３の状態にある引出しスライダーの斜視図である。
【図１３】図４の状態にある引出しスライダーの斜視図である。
【図１４】図１の状態にある引出しスライダーの斜視図である。
【図１５】図２の状態にある引出しスライダーの斜視図である。
【図１６】図３の状態にある引出しスライダーの斜視図である。
【図１７】図４の状態にある引出しスライダーを示し、同図（Ａ）は、その上面図、同図（Ｂ）は、図１７（Ａ）のＢ−Ｂ線断面図である。
【図１８】本発明の引出しスライダーの分解斜視図である。
【図１９】図１８の引出しスライダーに用いられるスライド駒を示し、同図（Ａ）は、その背面斜視図、同図（Ｂ）は、その背面図、同図（Ｃ）は、ロックアームの係合ピンとの位置関係を示すために背面から見た説明図である。
【図２０】図１８の引出しスライダーに用いられる分離片を示し、同図（Ａ）は、その背面斜視図、同図（Ｂ）は、逆向きの正面図である。
【図２１】図５と同じ状態にある本発明の他の実施の形態による引出しスライダー付きスライドレールの斜視図である。
【図２２】図６と同じ状態にある本発明の他の実施の形態による引出しスライダー付きスライドレールの斜視図である。
【図２３】図７と同じ状態にある本発明の他の実施の形態による引出しスライダー付きスライドレールの斜視図である。
【図２４】図８と同じ状態にある本発明の他の実施の形態による引出しスライダー付きスライドレールの斜視図である。
【図２５】図９と同じ状態にある本発明の他の実施の形態による引出しスライダー付きスライドレールの斜視図である。
【図２６】図５と同じ状態にある本発明の更に他の実施の形態による引出しスライダー付きスライドレールの斜視図である。
【図２７】図６と同じ状態にある本発明の更に他の実施の形態による引出しスライダー付きスライドレールの斜視図である。
【図２８】図７と同じ状態にある本発明の更に他の実施の形態による引出しスライダー付きスライドレールの斜視図である。
【図２９】図８と同じ状態にある本発明の更に他の実施の形態による引出しスライダー付きスライドレールの斜視図である。
【図３０】図９と同じ状態にある本発明の他の実施の形態による引出しスライダー付きスライドレールの斜視図である。
【符号の説明】
【００５５】
１  引出しキャビネット
２  筐体
３  引出し本体
Ｓ  引出しスライダー
１２  第１のスライドレール
１２Ｈ  取付けボルト用の孔
１２Ｐ  切り起しの爪片
１４  第２のスライドレール
１４Ｈ  取付けボルト用の孔
１４Ｅ  先端部
１６  中間スライドレール
２０  ロック手段
３０  フレーム
３０Ｎ  切欠き孔
３０Ｓ  摺動溝
３０ＳＷ  先端止め壁
３２  フレーム本体
３２Ｈ  底係止孔
３２Ｇ  保持溝
３２ＧＨ  保持溝３２Ｇの水平部分
３２ＧＩ  保持溝３２Ｇの下向き傾斜部分
３４  横片
４０  スライド駒
４２Ｆ、４２Ｒ  前後の２対の保持ピン
４４Ｆ、４４Ｒ  係合片
４６  案内溝
４６Ｏ  幅広の開口
４６Ｌ  ロック面
４６Ｒ、４６Ｒａ、４６Ｒｂ、４６Ｒｃ、４６Ｒｄ  引き込み後退誘導面
４６Ｆ、４６Ｆａ、４６Ｆｂ、４６Ｆｃ  前進誘導面
４８  ばね
４８Ｋ  ばね４８の一端の鉤部
４８Ｓ  ばね４８の他端の肩部
５０  ロックレバー
５２  揺動ピン
５４  係合ピン
６０、１６０、２６０  可解放結合手段
６２  分離片
６２Ｌ  保持レール
６２Ｈ  係入孔
６４  抱き込み部
６６、６８  ２つの磁気結合部材
６６Ｍ  磁石
６８Ｂ  金属磁性体
１６６、１６８  雌雄の噛み合い結合部材
１６６Ｆ  抱き込み片
１６８Ｍ  水平突片
２６６、２６８  ２つの雌雄の噛み合い部材
２６６ＦＲ、２６６ＦＬ  １対の弾性係止片
２６６Ｈ  係入溝
２６８ＭＲ、２６８ＦＬ  １対の係止ピン
【図１】
2008079665.tif 000003
【図２】
2008079665.tif 000004
【図３】
2008079665.tif 000005
【図４】
2008079665.tif 000006
【図５】
2008079665.tif 000007
【図６】
2008079665.tif 000008
【図７】
2008079665.tif 000009
【図８】
2008079665.tif 000010
【図９】
2008079665.tif 000011
【図１０】
2008079665.tif 000012
【図１１】
2008079665.tif 000013
【図１２】
2008079665.tif 000014
【図１３】
2008079665.tif 000015
【図１４】
2008079665.tif 000016
【図１５】
2008079665.tif 000017
【図１６】
2008079665.tif 000018
【図１７】
2008079665.tif 000019
【図１８】
2008079665.tif 000020
【図１９】
2008079665.tif 000021
【図２０】
2008079665.tif 000022
【図２１】
2008079665.tif 000023
【図２２】
2008079665.tif 000024
【図２３】
2008079665.tif 000025
【図２４】
2008079665.tif 000026
【図２５】
2008079665.tif 000027
【図２６】
2008079665.tif 000028
【図２７】
2008079665.tif 000029
【図２８】
2008079665.tif 000030
【図２９】
2008079665.tif 000031
【図３０】
2008079665.tif 000032